(57)【要約】【課題】高所等作業者が着用する安全帯のフックを掛けるのに適した場所と適さない場所を作業者に確実に理解させるための安全帯試行器具を提供する。【解決手段】この安全帯試行器具１４は、高所等作業者が着用する安全帯のフックを掛けることを試行するためのもので、少なくとも一対の直立部材１，２と、直立部材に接続した複数の横部材４〜９と、を備え、さらに直立部材および／または横部材に設けられフックを掛けるのに適した保持部Ｂ，Ｄ，Ｇ，Ｈ，Ｉと適さない保持部Ａ，Ｃ，Ｅ，Ｆ，Ｊとを備える。【選択図】図１
2019111177.tif 000002
【特許請求の範囲】
【請求項１】
高所等作業者が着用する安全帯のフックを掛けることを試行するための安全帯試行器具であって、
少なくとも一対の直立部材と、
前記直立部材に接続した複数の横部材と、を備え、
さらに前記直立部材および／または前記横部材に設けられ前記フックを掛けるのに適した保持部と適さない保持部とを備えることを特徴とする安全帯試行器具。
【請求項２】
前記直立部材を直立に支持する底部をさらに備える請求項１に記載の安全帯試行器具。
【請求項３】
前記直立部材、前記横部材および前記保持部が着脱可能である請求項１または請求項２に記載の安全帯試行器具。
【請求項４】
前記直立部材および／または前記横部材が分解・組立可能である請求項１乃至３のいずれか１項に記載の安全帯試行器具。
【発明の詳細な説明】
【技術分野】
【０００１】
本発明は、高所等で作業者が着用する安全帯のフックを適切な場所に掛けることを試行するための安全帯試行器具に関する。
【背景技術】
【０００２】
労働安全衛生規則では事業者は高所（作業床から２ｍ以上）で作業を行う際には、作業床を設けるか、労働者に安全帯を使用させ墜落による労働者の危険を防止せねばならず、労働者も安全帯の使用を命じられたときには、安全帯を使用しなければならないとされている。
【０００３】
また、事業者は、労働者が作業中又は通行の際に転落する恐れがある開口部があるときは、当該危険を防止するため高さ85センチメートル以上の丈夫な柵を設けるか労働者に安全帯を使用させなければならないとも定めており、労働者が高所及び開口部に面した場所で作業を行うに際しては、安全帯を着用し、安全帯に設けられている環金具（フック）を安全な場所に掛けることにより墜落・転落事故を防止する対策にしている
【０００４】
事業者や労働基準監督署による安全帯の着用及び使用についての指導は毎年継続してなされているが、建設工事における重大事故要因は、墜落・転落によるものが長年第一位となっている。
【０００５】
安全に関する教育では、特許文献１のような移動式安全体感設備による安全体感教育も行われており、高所作業時における危険性と安全性の体感、安全帯ぶら下がり体感実習を通じ、安全帯の着用位置における体への食い込みを検証できフックの掛け方に伴う安全帯脱落の危険を検証できるとしている。
【０００６】
また、特許文献１では、床スラブにおける開口部付近の安全柵に安全帯のフックを掛けてウエイトを開口から落下させれば、フックの掛け方に伴う安全帯脱落等の危険を実証する安全帯落下検証実習を行うこともできるとしている。
【０００７】
非特許文献１には「４．安全帯の取付け対象物と使い方」に記載されているように、安全帯の取付け、フックの正しい掛け方について図で明示することで使用者に対し周知を図っている。
【先行技術文献】
【特許文献】
【０００８】
【特許文献１】特許第５５７７５３８号
【非特許文献】
【０００９】
【非特許文献１】株式会社中川工業所「安全保護具の種類と正しい使い方」http://www.nakagawakogyosho.co.jp/cooperate/member/anzen/deta/anzensiryou_02.pdf
【発明の概要】
【発明が解決しようとする課題】
【００１０】
しかしながら、作業者が高所及び開口部に面した場所での作業時において安全帯を着用し、墜落・転落災害に備えフックを近くの手摺等に掛けていたにもかかわらず、安全帯のフックが破損し作業者の体を保持することが出来なかった事例が発生している。要因としては、作業者が安全帯のフックを掛けるのに適さない場所に掛けていたことがあげられる。
【００１１】
特許文献１に記載された発明では、安全体感教育受講者が、高所作業時における危険性と安全性の体感のために安全帯ぶら下がり体感実習を受講する際には、安全帯のフックは既に教育実施者により適切な場所に掛けられており、受講者はどのような場所にフックが掛けられているか確認することはなく、フックを掛けられる場所も限定されていて試行対象として十分ではない。
【００１２】
また、フックの掛け方に伴う安全帯脱落等の危険を実証する安全帯落下検証実習においては、安全帯のフックの掛け方が適切でなかったときの結果を確認することができ、安全帯の必要性を理解することは出来るが、フックを掛けるのに適した場所についての確認は講義対象となっていない。
【００１３】
また、特許文献１の安全体感設備は移動式で必要に応じて各所で安全教育を実施できるが、実施する安全教育の内容が多岐にわたるため、研修実施時には一定の広さの設置場所と準備時間を要し、即座に実施することが出来ない。
【００１４】
非特許文献１に関しても、実際に使用する作業場所においては、フックを掛けられそうな場所は何ヶ所も存在するが、代表的な事例しか表示しておらず実際の作業場所の状況と比較して視認し理解するには不十分である。
【００１５】
また、従来の安全教育でも、作業者は安全帯の使用方法と、墜落転落時の衝撃を緩和するために腰より上の出来るだけ高い位置にフックを掛けるよう指導されているが、実際の状況を模してフックを掛けられるようにした安全教育は行われていない。
【００１６】
本発明は、かかる従来の事情に対応するため、安全教育器具として、安全帯のフックを掛けるのに適した場所と適さない場所を作業者に確実に理解させることができるようにした安全帯試行器具を提供することを目的とする。
【課題を解決するための手段】
【００１７】
上記目的を達成するための安全帯試行器具は、高所等作業者が着用する安全帯のフックを掛けることを試行するための安全帯試行器具であって、少なくとも一対の直立部材と、前記直立部材に接続した複数の横部材と、を備え、さらに前記直立部材および／または前記横部材に設けられ前記フックを掛けるのに適した保持部と適さない保持部とを備えることを特徴とする。
【００１８】
この安全帯試行器具によれば、高所等作業者が着用する安全帯のフックを掛けるのに適した保持部と適さない保持部とを備えるので、安全教育の講師や受講者が実際に保持部にフックを掛けることを試行でき、これにより、フックを掛けるのに適した場所（保持部）と適さない場所（保持部）とを講師が教授しまた受講者が理解することが容易かつ確実になる。また、フックを掛ける保持部を、直立部材・横部材に設け、作業現場にある実際の保持部に模した形状や位置や高さや向きにできるので、安全教育の実施効果を高めることができる。また、直立部材を直立にできれば、安全帯試行器具を設置するための場所は任意の所でよく、安全教育をどこでも行うことができ、その準備も手間がかからない。
【００１９】
上記安全帯試行器具において前記直立部材を直立に支持する底部をさらに備えることが好ましい。これにより、安全帯試行器具を安定して直立に支持できるので、別の直立支持手段・方法が不要となり、また、安全帯試行器具の設置場所が屋内・屋外のいずれでもよい。
【００２０】
また、前記直立部材、前記横部材および前記保持部が着脱可能であることが好ましい。これにより、保持部の位置・向きの変更や数の増減を容易に行うことができ、試行対象となる保持部の例が豊富になり、また、実際の作業現場の状況に応じた保持部を模擬することができ、安全教育の実施効果を高めることができる。
【００２１】
また、前記直立部材および／または前記横部材が分解・組立可能であることが好ましい。安全帯試行器具を分解することで、運搬や保管に便利であり、安全教育を行う場所で組み立てることが簡単にできる。
【発明の効果】
【００２２】
本発明の安全帯試行器具によれば、安全教育器具として使用でき、安全帯のフックを掛けるのに適した場所と適さない場所を高所等作業者等の受講者に確実に理解させることができる。このため、高所等作業に対する安全教育の効果を高めることができる。
【図面の簡単な説明】
【００２３】
【図１】本実施形態による安全帯試行器具の斜視図である。
【図２】図1の安全帯試行器具の分解斜視図である。
【図３】安全帯のフックを掛けるのに適さない保持部にフックを掛けたときに発生した事故事例におけるフックの状態（ａ）〜（ｄ）を示す斜視図である。
【図４】安全帯のフックを掛けるのに適した保持部にフックを掛けた状態を示す斜視図（ａ）（ｂ）である。
【図５】安全帯のフックを掛けるのに適さない保持部にフックを掛けた状態を示す斜視図（ａ）（ｂ）である。
【発明を実施するための形態】
【００２４】
以下、本発明の実施形態による安全帯試行器具について図１，図２を参照して説明する。図１は、本実施形態による安全帯試行器具を示す斜視図である。図２は、図1の安全帯試行器具の分解斜視図である。図１に示すように、安全帯試行器具１４は、一対の直立部材１、２と、直立部材１，２に接続した複数の横部材４〜９と、全体平面形状が矩形枠状になって直立部材１、２を直立に支持する底部１３と、を備える。複数の横部材４〜９は設置面とほぼ平行に間隔を開けて配置され、また、上部の横部材４，５の間には縦部材３が配置されている。安全帯試行器具１４は、直立部材１，２の下端が底部１３側に差し込まれて安定して自立するようになっている。
【００２５】
直立部材１，２，縦部材３，横部材４〜９および底部１３は、円形パイプ状部材から構成され、鋼管等の円筒管からなり、図１のように、直角に曲がるエルボ状の管継手ＬとＴ字状の管継手Ｔとを用いて差し込まれて嵌合することで互いに接合し、図１の全体形状が長方形の枠状である安全帯試行器具１４が組み立てられる。安全帯試行器具１４は、たとえば、安全帯着用者の身長を考慮して高さ２ｍ程度、幅１ｍ程度に構成され、人手による運搬や移動が容易である。なお、これらの寸法は一例であって、適宜変更可能である。
【００２６】
図２のように、図1の直立部材１，２は、短管から構成されて分解可能であり、管継手Ｔで分解することで、安全帯試行器具１４の全体を分割ユニット３１〜３６に分解し分割できるようになっている。図２の分解した状態から各分割ユニット３１〜３６を単管と管継手Ｔとの接合により組み立て、安全帯試行器具１４を完成させることができる。このような分解・組立可能構造とすることで、安全帯試行器具１４は運搬や保管に便利であり、安全教育を行う場所で簡単に組み立てることができる。
【００２７】
次に、安全帯試行器具１４に設けた、安全帯のフックを掛けるのに適した保持部と適さない保持部について説明する。かかる保持部として、横部材４〜９や縦部材３自体が構成する保持部Ａ，Ｂ，Ｃと、直立部材１、２や横部材４〜９に取り付けた保持部Ｄ，Ｅ，Ｆ，Ｇ，Ｈ，Ｉ，Ｊとがある。保持部Ａ〜Ｉには位置や高さや形状や向きによってフックを掛けるのに適した保持部と適さない保持部とがある。
【００２８】
図１のように、横部材５と縦部材３との間の逆Ｔ字状部分Ａは、安全帯着用者の墜落転落時に荷重が加わると安全帯のフックが曲がり易く、フックが曲がると縦部材３から外れ易くなるため、フックを掛けるのに適さない保持部Ａを構成する。
【００２９】
横部材５，６，７は、安全帯着用者の身長に対し接地面からの高さが適切であるため、フックを掛けるのに適した保持部Ｂを構成する。一方、横部材８，９は、接地面からの高さが低く適切でなく、安全帯着用者の墜落転落時に衝撃荷重が加わるので、フックを掛けるのに適さない保持部Ｃを構成する。また、横部材４は高さ上では適切だが、横部材５，６のように横側にストッパーがないため、墜落転落時にクランプが滑って安全帯着用者が振られてしまう可能性があり、フックを掛けるのに適さない保持部Ｃを構成する。
【００３０】
横部材５，６間の高さ位置で直立部材２に取り付けた保持部Ｄ，横部材５に取り付けた保持部Ｈ，横部材６に取り付けた保持部Ｅ，Ｆ，Ｇは、いずれも矩形板状のピース１０にフックを掛ける孔を有するが、ピース１０の向きが横側、鉛直下側、水平横側、鉛直上側のように異なり、孔の大きさも異なっている。
【００３１】
すなわち、保持部Ｄは、ピース１０が直立部材２に横向きに設置され、フックがピース１０の孔に入り、外れ止めも機能することから、フックを掛けるのに適している。保持部Ｅは、ピース１０が地面に対し平行に設置され、ピース１０の孔が小さくフックがしっかり入らないことからフックを掛けるのに適さない。保持部Ｆは、横部材６に上向きに設置され、フックがピース１０の孔に入っても墜落転落時の衝撃荷重でフックが曲がり易く、フックが曲がるとピース１０の孔から脱落し易いので、フックを掛けるのに適さない。保持部Ｇ、Ｈは、ピース１０が横部材５，６に下向きに設置され、フックがピース１０の孔に入り、外れ止めも機能することから、フックを掛けるのに適している。
【００３２】
保持部Ｉは、横部材６，７間で直立部材１，２間に横部材６，７とほぼ平行に緊張させて取り付けられた綱に構成される綱保持部であり、フックを掛けるのには適しているが、複数のフックを掛けるには適さない。
【００３３】
また、保持部Ｊは、横部材７，８間の対角線上に取り付けられた斜材（ブレス）に構成される傾斜保持部であるが、墜落転落時にフックに無理な力が生じ、フックが曲がり易く、曲がると保持部Ｊから外れ易くなるため、フックを掛けるのに適さない保持部である。
【００３４】
図１の保持部Ｄ〜Ｈは、ねじ止めにより着脱可能な締め付け金具１１を用いて横部材５，６や直立部材２に取り付けられているので、保持部を任意の位置や向きに変更し、数の増減も容易である。また、保持部Ｉは、締め付け金具１１を用いて綱を直立部材１，２に取り付けているので、その高さを任意の位置に移動させて調整可能である。
【００３５】
以上のように、本実施形態の安全帯試行器具１４は、高所等作業者が着用する安全帯のフックを掛けるのに適した保持部Ｂ，Ｄ，Ｇ，Ｈ，Ｉと適さない保持部Ａ，Ｃ，Ｅ，Ｆ，Ｊとを備えるので、安全教育においてフックを掛けるのに適した保持部と適さない保持部とについて講義対象とし、講師や受講者が実際に保持部にフックを掛けることを試行できる。これにより、フックを掛けるのに適した場所（保持部）と適さない場所（保持部）とを講師が容易かつ確実に説明でき、また、受講者は、保持部を視認しフックを掛けることを体験できるので、フックを掛けるのに適した保持部と適さない保持部とを容易かつ確実に理解できる。また、フックを掛ける保持部を、直立部材や横部材に設け、作業現場にある実際の保持部に模した形状や位置や高さや向きにできるので、安全教育の実施効果を高めることができる。このように、安全帯試行器具１４は、高所等作業に関する安全教育の一環として行われる講習会等の安全教育器具として用いて好適である。
【００３６】
次に、安全帯のフックを掛ける保持部の具体例について図３〜図５を参照して説明する。図３は、安全帯のフックを掛けるのに適さない保持部にフックを掛けたときに発生した事故事例におけるフックの状態（ａ）〜（ｄ）を示す斜視図である。図３（ａ）のように安全帯のフックＦＦの先端Ｆ１が保持部４０の孔４１内に垂直に入らないため、図３(ｂ)のようにフックＦＦを横向きにして保持部４０の孔４１に掛けたとき、図３(ｃ)のように、墜落転落時の衝撃荷重でフックＦＦが曲がってしまい、図３(ｄ)のようにフックＦＦが孔４１から脱落してしまった。このような事例におけるフックを掛けるのに適さない保持部は、図１の保持部Ｆで再現できる。
【００３７】
図４は、安全帯のフックを掛けるのに適した保持部にフックを掛けた状態を示す斜視図（ａ）（ｂ）である。図４（ａ）のように、フックＦを先端Ｆ１から保持部４２の孔４３内に縦向きに入り込むことができ、そのため、図４（ｂ）のように、フックＦＦを保持部４２の孔４３に確実に掛けることができるので、外れ止めも機能し、墜落転落の際に安全帯が機能する。このようなフックを掛けるのに適した保持部は、図１の保持部Ｇで再現できる。
【００３８】
図５は、安全帯のフックを掛けるのに適さない保持部にフックを掛けた状態を示す斜視図（ａ）（ｂ）である。図５（ａ）のように、横部材と縦部材との接合部分（逆Ｔ字状部分）の保持部４４に安全帯のフックＦＦを掛けたとき、墜落転落の際に安全帯のフックＦＦが曲がり、フックＦＦが保持部４４から脱落し易い。このようなフックを掛けるのに適さない保持部は、図１の保持部Ａで再現できる。
【００３９】
また、図５（ｂ）のように、保持部４５の孔４６が小さく、フックＦＦが先端Ｆ１からわずかに入るだけで、保持部４５でフックＦＦをしっかり掛けることができないので、墜落転落の際の衝撃荷重でフックＦＦが破損し、フックＦＦが保持部４５の孔４６から脱落し易い。このようなフックを掛けるのに適さない保持部は、図１の保持部Ｅで再現できる。なお、安全帯は、胴ベルト式やハーネス式等のいずれでもよい。
【００４０】
本実施形態の安全帯試行器具１４によれば、図３〜図５のように、作業現場に実際にあるフックを掛けるのに適した保持部と適さない保持部とを模擬した各種の保持部を再現できるので、両者の区別を的確に理解することができ、安全教育の効果が増す。
【００４１】
以上のように本発明を実施するための形態について説明したが、本発明はこれらに限定されるものではなく、本発明の技術的思想の範囲内で各種の変形が可能である。たとえば、本実施形態の安全帯試行器具の横部材や保持部の数・形状については図１に示した例に限定されるものではなく、適宜変更可能である。たとえば、横部材として、等辺山形鋼等の形鋼(または形鋼を模した部材)を配置し、孔を設けた形鋼を保持部としてもよい。
【００４２】
また、図１の直立部材や横部材や底部は、鋼管から構成されるが、本発明は、これに限定されず、安全帯試行器具は試行者がフックを保持部に掛けることを試行するが安全帯を使用して実際に荷重を加えるものではないので、アルミニウムや樹脂材料等の軽量材料から構成してもよく、この場合、運搬や移動がいっそう容易となる。
【００４３】
また、図1の底部１３を省略し、直立部材１，２の下端を地面や支持ブロック等に形成した穴に直接差し込むようにしてもよい。また、図２において、横部材４〜９や底部１３を分解できるように構成してもよい。
【産業上の利用可能性】
【００４４】
本発明による安全帯試行器具は、高所等作業者に安全帯の適切な使用方法を理解させる安全教育器具として使用でき、高所や開口部周辺の作業現場で安全帯のフックを掛けるのに適した保持部にフックを掛けて安全を確実に確保するという安全対策に寄与できる。
【符号の説明】
【００４５】
１，２ 直立部材
４〜９ 横部材
１３ 底部
１４ 安全帯試行器具
３１〜３６ 分割ユニット
Ｂ，Ｄ，Ｇ，Ｈ，Ｉ 安全帯のフックを掛けるのに適した保持部
Ａ，Ｃ，Ｅ，Ｆ，Ｊ 安全帯のフックを掛けるのに適さない保持部
ＦＦ 安全帯のフック
【図１】
2019111177.tif 000003
【図２】
2019111177.tif 000004
【図３】
2019111177.tif 000005
【図４】
2019111177.tif 000006
【図５】
2019111177.tif 000007